(57)【要約】【課題】  日常生活に支障が生じない程度に自己に規制を課し、好ましからざる生活習慣を変えるために役立つと共にファッション性に富む装身具を提供する。【解決手段】  手の２本の指を挿通した状態で固定しうるリング状の巻き付け部材を有する。上記巻き付け部材はテープ部材により形成され、又はひも状に形成され、２本の指の外周に巻き付けて両端を係止連結し、２本の指を固定することができる。【選択図】  図１
0003111396.tif 000002
【実用新案登録請求の範囲】
【請求項１】
手に装着しうる装身具であって、２本の指を挿通した状態で固定しうるリング状の巻き付け部材を有することを特徴とする装身具。
【請求項２】
上記巻き付け部材はテープ部材により形成され、２本の指の外周に巻き付けて両端を係止連結し、２本の指を固定しうるように形成されていることを特徴とする請求項１記載の装身具。
【請求項３】
上記巻き付け部材は、ひも状に形成されていることを特徴とする請求項１記載の装身具。
【請求項４】
上記巻き付け部材は、弾性を備えた伸縮可能な素材により形成されていることを特徴とする請求項１〜３記載の装身具。
【請求項５】
上記巻き付け部材は、表面部に装飾が施されていることを特徴とする請求項１〜４記載の装身具。
【請求項６】
上記巻き付け部材には、表面部に目標とする行為を表示可能に形成されている表示部が設けられていることを特徴とする請求項１〜５記載の装身具。
【考案の詳細な説明】
【技術分野】
【０００１】
本考案は装身具に係り、特に、ファッション性に富むと共に自己の課題達成に寄与しうる装身具に関する。
【背景技術】
【０００２】
現代人は、自発的に自己の行為を規制することを課題としなければならない場合がある。  例えば、禁煙行為、ダイエットを目的とする食事制限等である。
【０００３】
しかしながら、上記のような行為は習慣となっている場合が多いことから、意志力が強固でないと、自己の行為を規制する生活を続けることは甚だ困難であって、なかなか目的を達成することができない場合が多い。そこで、自己の行為を規制するためには、ある程度物理的、強制的に自己の身体を拘束する必要がある。
【０００４】
しかしながら、自己の身体を大幅に拘束しすぎた場合には、日常生活に支障が生じる。
【０００５】
そこで、わずかながら自らの身体に規制を加え、自分の実現しようとする課題との関係で若干不自由な状態にした場合には、不自由な行為の度に常に課題を思い出すことができるため、当該課題の達成が容易となるものであり、このような観点からの装身具があれば便利である。
【０００６】
本出願人は、上記の観点から調査を行ったが、関連する先行技術文献を見出すことはできなかった。
【考案の開示】
【考案が解決しようとする課題】
【０００７】
本考案の課題は、日常生活に支障が生じない程度に自己に規制を課し、生活習慣を変えるために役立つと共にファッション性に富む装身具を提供することにある。
【課題を解決するための手段】
【０００８】
上記課題を解決するために、請求項１記載の本考案に係る装身具は、手に装着しうる装身具であって、２本の指を挿通した状態で固定しうるリング状の巻き付け部材を有することを特徴とする。
【０００９】
即ち、請求項１記載の本考案に係る装身具にあっては、上記リング状の巻き付け部材の内側に２本の指を挿通して、その２本の指を固定して動きを規制しうるように構成されている。
【００１０】
また、請求項２記載の本考案に係る装身具は、上記巻き付け部材がテープ部材により形成され、２本の指の外周に巻き付けて両端を係止連結し、２本の指を固定しうるように形成されていることを特徴とする。
【００１１】
即ち、請求項２記載の本考案に係る装身具にあっては、上記巻き付け部材が指に巻き付けやすいようにテープ部材により形成されると共に、そのテープ部材を指に巻き付けた状態を固定しやすくするために、上記テープ部材の両端を係止して連結するように形成されている。
【００１２】
また、請求項３記載の本考案に係る装身具は、上記巻き付け部材が、ひも状に形成されていることを特徴とする。
【００１３】
即ち、請求項３記載の本考案に係る装身具にあっては、上記巻き付け部材が、２本の指に巻き付けやすいように、ひも状に形成されているものである。
【００１４】
また、請求項４記載の本考案に係る装身具は、上記巻き付け部材が、弾性を備えた伸縮可能な素材により形成されていることを特徴とする。
【００１５】
即ち、請求項４記載の本考案に係る装身具にあっては、指の太さが人によって異なるため、寸法上柔軟性を持たせ、フリーサイズとする必要があることから、上記巻き付け部材が、弾性を備え、伸縮することにより、寸法上の誤差を吸収しうるように形成されている。
【００１６】
また、請求項５記載の本考案に係る装身具は、上記巻き付け部材が、表面部に装飾が施されていることを特徴とする。
【００１７】
即ち、請求項５記載の本考案に係る装身具にあっては、ファッション性を高めるために、上記巻き付け部材の表面部に装飾が施されている。
【００１８】
また、請求項６記載の本考案に係る装身具は、上記巻き付け部材には、表面部に目標とする行為を表示可能に形成されている表示部が設けられていることを特徴とする。
【００１９】
即ち、請求項６記載の本考案に係る装身具にあっては、着用者が自己の目標を常に確認しうるように、上記巻き付け部材の表面部に、目標とする行為を表示可能に形成されている表示部が設けられている。
【考案の効果】
【００２０】
請求項１記載の本考案に係る装身具は、手に装着しうる装身具であって、２本の指を挿通した状態で固定しうるリング状の巻き付け部材を有することから、例えば人差し指と中指をリング状の巻き付け部材により固定することにより、その指が拘束されて動き難くなるので、タバコや箸などの物品を指で挟み持つことが困難になる。従って、喫煙や食事行為等を自己規制することにより生活習慣を変えることができる。
また、２本の指が動きの自由を規制されるだけなので、その他の日常生活に支障が生じることはない。
【００２１】
また、請求項２記載の本考案に係る装身具は、上記巻き付け部材がテープ部材により形成され、２本の指の外周に巻き付けて両端を係止連結し、２本の指を固定しうるように形成されていることから、着用する人の指の太さが異なっても適切にフィットするように長さを調整することができ、着用感が良好である。
【００２２】
また、請求項３記載の本考案に係る装身具は、上記巻き付け部材が、ひも状に形成されていることから、２本の指に巻き付けて装着しやすい。また、装飾部材に形成された孔に挿通することができるため、容易に装飾部材を取り付けて、装飾を施しやすい。
【００２３】
また、請求項４記載の本考案に係る装身具は、上記巻き付け部材が、弾性を備えた伸縮可能な素材により形成されていることから、サイズ調整が容易で、指の太さが異なる様々な人にフリーサイズで汎用的に使用することができ、有用性が高い。
【００２４】
また、請求項５記載の本考案に係る装身具は、上記巻き付け部材が、表面部に装飾が施されていることから、ファッション性が高められる。従って、着用者はおしゃれを楽しむことができるので、自己の行為を規制する状態が苦にならず、着用状態を続行して好ましからざる生活習慣を容易に変えることができる。
【００２５】
また、請求項６記載の本考案に係る装身具は、上記巻き付け部材には、表面部に目標とする行為を表示可能に形成されている表示部が設けられていることから、例えば、上記表示部に禁煙、ダイエット、禁酒、禁マージャンなどの目標が表示されることにより、着用者は中断したくなった場合に、その目標を確認して自己を励ましたり、戒めることによって、目標達成に向かって自己規制行為を続行することができる。
【考案を実施するための最良の形態】
【００２６】
以下、図面を用いて本考案の実施の形態について説明する。
本実施の形態に係る装身具１１は、図１に示すように、手１２に装着しうる装身具であって、２本の指１３，１４を挿通した状態で固定しうるリング状の巻き付け部材１５を有している。
また、図１、図２、図４〜図６に示すように、上記巻き付け部材１５はテープ部材１６により形成され、２本の指１３，１４の外周に巻き付けて両端を係止連結し、２本１３，１４の指を固定しうるように形成されている。
また、上記巻き付け部材１５は、図７に示すように、ひも状に形成されることもある。
また、上記巻き付け部材１５は、図４に示すように、弾性を備えた伸縮可能な素材により形成されている。
なお、図３に示すように、上記巻き付け部材１５は硬質の素材で形成されることもある。
また、上記巻き付け部材１５は、図１〜図７に示すように、表面部に装飾１７が施されている。
また、上記巻き付け部材１５には、図５及び図６に示すように、表面部に目標とする行為を表示可能に形成されている表示部２１が設けられている。
【実施例１】
【００２７】
図１及び図２は実施例１に係る装身具１１を示したものである。
本実施例に係る装身具１１は、図１に示すように、手１２に装着するためのもので、特に２本の指１３，１４、例えば人差し指と中指を挿通した状態で固定しうるように構成されている。
即ち、上記装身具１１は２本の指１３，１４を挿通しうるようリング状に形成された巻き付け部材１５を有している。
【００２８】
上記巻き付け部材１５は、図２に示すように、布や軟質プラスチックのような柔軟性を有する素材で形成されたテープ部材１６により形成されている。
【００２９】
上記テープ部材１６は両端に、互いに係止可能な雄の面ファスナ１８と雌の面ファスナ１９が取り付けられ、図１に示すように、２本の指１３，１４の外周に巻き付けて両端を係止連結し、２本の指１３，１４を固定しうるように構成されている。
【００３０】
また、上記巻き付け部材１５における長さ方向の略中間部の表面部には装飾１７が施されている。
なお、上記装飾１７のデザインや、使用する素材は自由である。
【実施例２】
【００３１】
図３は実施例２に係る装身具１１を示したものである。
本実施例に係る装身具１１も、手１２に装着するためのもので、特に２本の指１３，１４、例えば人差し指と中指を挿通した状態で固定しうるように構成されている。
即ち、上記装身具１１は２本の指を挿通しうるようリング状に形成された巻き付け部材１５を有している。
【００３２】
上記巻き付け部材１５は、図３に示すように、硬質の素材である金属により形成されている。
なお、アクリル等のプラスチックにより成形することも可能である。
【００３３】
上記巻き付け部材１５は最初からリング状に形成されていることから、サイズが一定である。従って、指の太さが異なる人には使用できない場合がある。
そこで、指の太さが異なる人のために、各種サイズのものが備えられている。
【００３４】
上記巻き付け部材１５の外面中央部には装飾１７が施されている。
【実施例３】
【００３５】
図４は実施例３に係る装身具１１を示したものである。
本実施例に係る装身具１１も、手１２に装着するためのもので、特に２本の指１３，１４、例えば人差し指と中指を挿通した状態で固定しうるように構成されている。
即ち、上記装身具１１は２本の指を挿通しうるようリング状に形成された巻き付け部材１５を有している。
【００３６】
上記巻き付け部材１５は、テープ部材１６により、最初からリング状に形成され、サイズが一定である。
しかしながら、本実施例に係る上記巻き付け部材１５は、ゴムを使用して弾性及び伸縮性を備えたテープ部材１６により形成されている。
従って、フリーサイズで使用することができ、指の太さが異なる人でも着用することができる。
【００３７】
上記巻き付け部材１５には、外面部全体にビーズ２０が配置された装飾１７が施されている。
【実施例４】
【００３８】
図５及び図６は実施例４に係る装身具１１を示したものである。
本実施例に係る装身具１１も、手１２に装着するためのもので、特に２本の指１３，１４、例えば人差し指と中指を挿通した状態で固定しうるように構成されている。
即ち、上記装身具１１は２本の指１３，１４を挿通しうるようリング状に形成された巻き付け部材１５を有している。
【００３９】
上記巻き付け部材１５は、図５及び図６に示すように、布や軟質プラスチックのような柔軟性を有する素材を用いたテープ部材１６により形成されている。
【００４０】
上記テープ部材１６は、図６に示すように、両端に、互いに係止可能な雄の面ファスナ１８と雌の面ファスナ１９が取り付けられ、２本の指１３，１４の外周に巻き付けて両端を係止連結し、２本の指１３，１４を固定しうるように構成されている。
【００４１】
上記巻き付け部材１５の表面部で、長さ方向の略中間部には表示部２１が形成されている。
上記表示部２１は、図５に示すように、目標とする行為を表示可能に形成されている。    
即ち、上記表示部２１は、使用者が自分で目標とする言葉や、目標とする行為を想起せしめる対象物を筆記具等で記載、又は印刷した印刷物を貼付できるように構成されている。
この場合、上記「目標とする行為を想起せしめる対象物」とは、例えば、目標とする行為が「禁煙」である場合にはタバコの箱等、目標とする行為が「禁マージャン」であれば、マージャンの牌、「禁酒」の場合にはお酒のボトル等が該当する。
【００４２】
また、上記表示部２１は、図６に示すように、禁煙等の目標とする行為を宣言する対象となる人間、例えば、家族、恋人、友人、親等の、いわば願掛けの対象となる人間達の写真２２を貼付可能に形成されている。
これにより使用者は、願掛けの対象となる人間の写真２２を見る度に、自己の達成すべき目標を思い出すことができる。なお、上記巻き付け部材１５の表面部で、上記表示部２１以外の箇所には上記装飾１７を施すことも可能である。
【実施例５】
【００４３】
図７は実施例５に係る装身具１１を示したものである。
本実施例に係る装身具１１も、手１２に装着するためのもので、特に２本の指１３，１４、例えば人差し指と中指を挿通した状態で固定しうるように構成されている。
即ち、上記装身具１１は２本の指を挿通しうるようリング状に形成された巻き付け部材１５を有している。
【００４４】
上記巻き付け部材１５は、図７に示すように、布のような柔軟性を有する素材で形成されたひも状部材２３により構成されている。
【００４５】
上記ひも状部材２３は、図７に示すように、両端に互いに係止可能な係合部２７と被係合部２８が設けられている。
上記ひも状部材２３の一端の被係合部２８にはリング部３０が形成され、他方端の係合部１７には上記リング部３０に挿通して係止可能な球状部材２９が取り付けられている。
なお、上記係合部２７と被係合部２８の構造及び形状は自由に採用でき、例えば上記係合部２７にはフック部材又は金属製又は合成樹脂製の嵌合ファスナー等を使用してもよい。
【００４６】
上記ひも状部材２３は、２本の指１３，１４の外周に巻き付けて、両端の上記係合部２７と被係合部２８を係止連結し、２本の指１３，１４を固定しうるように構成されている。
【００４７】
上記ひも状部材２３の長さ方向の略中間部には装飾１７が施されている。その装飾１７は各種形状の装飾部材２４，２５，２６に孔を設け、その孔にひも状部材２３を挿通することにより構成されている。
【００４８】
次に上記実施例の作用について説明する。
本実施例に係る装身具１１は、図１に示すように、手１２に装着し、リング状の巻き付け部材１５により、特に２本の指１３，１４を挿通した状態で固定することから、その２本の指が若干拘束されて、動き難くなる。
【００４９】
従って、例えば、人差し指と中指を上記巻き付け部材１５により固定した状態では、物品を握り難くなり、例えば、タバコ、箸、マージャン牌、コップ等を把持し難くなることから、禁煙、ダイエット、禁マージャン、禁酒等の目標行為を強制的、物理的に着用者に課すことができる。
【００５０】
また、図１、図２、図４〜図６に示すように、上記巻き付け部材１５がテープ部材１６により形成され、また、上記巻き付け部材１５が、図７に示すように、ひも状に形成され、２本の指１３，１４の外周に巻き付け、両端を係止連結することにより、２本の指１３，１４を固定することにより、指１３，１４の太さが異なる場合にもジャストフィットさせることができる。
【００５１】
また、上記巻き付け部材１５が、図４に示すように、弾性を備えた伸縮可能な素材により形成されることにより、フリーサイズで使用することができる。
また、上記巻き付け部材１５は、図１〜図７に示すように、表面部に装飾１７が施されることによりファッション性が向上し、着用者はオシャレを楽しみながら、自己の目標を達成するための行為を実行することができる。
【００５２】
また、上記巻き付け部材１５には、図５及び図６に示すように、表面部に目標とする行為を表示可能に形成されている表示部２１が設けられれば、そこに目標とする行為を表示したり、「願掛け」を宣言した人間、例えば、家族、友人、恋人等の写真、を貼り付けることができる。従って、常に目標を確認したり、家族等の写真を見て、自己を励まし、目標達成に向けて努力を継続することができる。
【産業上の利用可能性】
【００５３】
本考案は、手に着用する装身具に適用可能である。
【図面の簡単な説明】
【００５４】
【図１】本考案の実施例１に係る装身具の着用状態を示す斜視図である。
【図２】本考案の実施例１に係る装身具の展開状態の斜視図である。
【図３】本考案の実施例２に係る装身具の斜視図である。
【図４】本考案の実施例３に係る装身具の斜視図である。
【図５】本考案の実施例４に係る装身具の斜視図である。
【図６】本考案の実施例４に係る装身具の別の使用方法を示す斜視図である。
【図７】本考案の実施例５に係る装身具の斜視図である。
【符号の説明】
【００５５】
１１  装身具
１２  手
１３  指
１４  指
１５  巻き付け部材
１６  テープ部材
１７  装飾
１８  面ファスナ
１９  面ファスナ
２０  ビーズ
２１  表示部
２２  写真
２３  ひも状部材
２４  装飾部材
２５  装飾部材
２６  装飾部材
２７  係合部
２８  被係合部
２９  球状部材
３０  リング部
【図１】
0003111396.tif 000003
【図２】
0003111396.tif 000004
【図３】
0003111396.tif 000005
【図４】
0003111396.tif 000006
【図５】
0003111396.tif 000007
【図６】
0003111396.tif 000008
【図７】
0003111396.tif 000009